(57)【要約】【課題】内部への異物の侵入を抑制するシート状物収容箱及びシート状物入り収容箱を提供する。【解決手段】シート状物収容箱１０は、シート状物Ｓが取り出される取出口１０ｈがフラップ１１ｆを起こすことで形成された取出口形成板１１と、フラップ１１ｆが開くことを防ぐストッパ１０ｓとを備える。フラップ１１ｆは、シート状物Ｓが通過可能な幅の主切込１１ａと、主切込１１ａから離れつつ沿って延びる折曲線１１ｃと、主切込１１ａ及び折曲線１１ｃの端部同士を両端で結ぶ一対の副切込１１ｂとで区画され、折曲線１１ｃを軸として開閉可能に構成されている。而して、ストッパ１０ｓを備えるので、フラップ１１ｆを閉じたときに半開きになることを防いで、シート状物収容箱１０の内部への異物の侵入を防ぐことができる。シート状物入り収容箱１は、シート状物収容箱１０と、そこに収容されたシート状物Ｓとを備える。【選択図】図１
2015217949.tif 000002
【特許請求の範囲】
【請求項１】
シート状物が収容されるシート状物収容箱であって；
前記シート状物が取り出される取出口が形成された取出口形成板を備え；
前記取出口形成板は、前記シート状物が通過可能な幅の主切込と、前記主切込から離れて前記主切込に沿って延びる折曲線と、前記主切込よりも短い副切込であって前記主切込及び前記折曲線の端部同士を両端で結ぶ一対の副切込と、で区画されるフラップを有し、前記折曲線を軸として前記フラップを起こすことにより前記取出口が形成されるように構成され；
前記フラップは、前記折曲線を軸として開閉可能に構成され；
前記フラップを閉じたときに前記フラップが開くことを防ぐストッパをさらに備える；
シート状物収容箱。
【請求項２】
前記フラップは、前記主切込を共有して前記取出口形成板の面上で対向する一対で構成された；
請求項１に記載のシート状物収容箱。
【請求項３】
前記取出口形成板に交差して連接された側板であって、前記取出口形成板と前記側板との交線上に前記副切込が形成されるように設けられた側板を備え；
前記ストッパは、前記側板の前記副切込に隣接する部分が内側に曲げられることで形成されている；
請求項１又は請求項２に記載のシート状物収容箱。
【請求項４】
前記取出口形成板及び前記側板と協働して前記シート状物収容箱を構成する補充板であって、前記側板に内側で重ねられる重ね代を有する補充板を備え；
前記重ね代は、前記側板の前記ストッパが形成される部分を避けて、前記側板に重ねられている；
請求項３に記載のシート状物収容箱。
【請求項５】
前記補充板は、前記側板と貼り合わせられた前記重ね代の部分を切り落とし可能な分離切込が形成されている；
請求項４に記載のシート状物収容箱。
【請求項６】
前記主切込が波形に形成された；
請求項１乃至請求項５のいずれか１項に記載のシート状物収容箱。
【請求項７】
前記取出口形成板に対向する底板を備え；
前記底板は、前記底板から内部に突き出て前記シート状物を嵩上げする突片を形成可能な突片形成切込が形成されている；
請求項１乃至請求項６のいずれか１項に記載のシート状物収容箱。
【請求項８】
請求項１乃至請求項７のいずれか１項に記載のシート状物収容箱と；
前記シート状物収容箱に収容されたシート状物とを備える；
シート状物入り収容箱。
【発明の詳細な説明】
【技術分野】
【０００１】
本発明はシート状物収容箱及びシート状物入り収容箱に関し、特に内部への異物の侵入を抑制するシート状物収容箱及びシート状物入り収容箱に関する。
【背景技術】
【０００２】
ティシュペーパーやキッチンペーパー等の衛生用紙は、広く用いられている。この種の衛生用紙として、適宜な大きさの矩形に切断されたものが２つ折にされ、２つ折で形成された２つの面（２つの半片）がそれぞれ別々の２つ折の用紙で挟まれ、これにより１つの用紙は別の２つの用紙の半片ずつを挟むこととなり、これを交互に積層したものが、板紙で形成された直方体状の箱に収容されているものがある。箱に収容されている衛生用紙を１枚取り出すと、その取り出した衛生用紙が挟んでいた衛生用紙の半片が箱から飛び出した状態（ポップアップ）が維持されるような仕掛けがされているのが一般的である。
【０００３】
従来は、切り込みを入れたプラスチックフィルムを取出し口周囲の箱の裏面に貼り付けてポップアップを維持する構成としていたところ、廃棄時の煩わしさや製造工程の増加等の不都合を解消するものとして、取出し口部用枠における前後中心を通る中心線に沿って波状のミシン目を刻設することで前後の押え片が構成され、後の押え片の内方縁には前の押え片の山部と谷部に噛合う状態で谷部と山部とを連続した状態で形成することで、波状のミシン目は前の押え片側の山部と谷部が後の押え片側の谷部と山部に一致して構成されているカートンがある（例えば、特許文献１参照。）。
【先行技術文献】
【特許文献】
【０００４】
【特許文献１】特開平９−１５０８７１号公報（図１−４等）
【発明の概要】
【発明が解決しようとする課題】
【０００５】
しかしながら、特許文献１に記載されたカートンは、衛生用紙を使用しないときに、押え片が半開きの状態となり、カートンの内部に異物が侵入するおそれがある。
【０００６】
本発明は上述の課題に鑑み、収容箱の内部への異物の侵入を抑制するシート状物収容箱及びシート状物入り収容箱を提供することを目的とする。
【課題を解決するための手段】
【０００７】
上記目的を達成するために、本発明の第１の態様に係るシート状物収容箱は、例えば図１に示すように、シート状物Ｓが収容されるシート状物収容箱１０であって；シート状物Ｓが取り出される取出口１０ｈが形成された取出口形成板１１を備え；取出口形成板１１は、シート状物Ｓが通過可能な幅の主切込１１ａと、主切込１１ａから離れて主切込１１ａに沿って延びる折曲線１１ｃと、主切込１１ａよりも短い副切込１１ｂであって主切込１１ａ及び折曲線１１ｃの端部同士を両端で結ぶ一対の副切込１１ｂと、で区画されるフラップ１１ｆを有し、折曲線１１ｃを軸としてフラップ１１ｆを起こすことにより取出口１０ｈが形成されるように構成され；フラップ１１ｆは、折曲線１１ｃを軸として開閉可能に構成され；フラップ１１ｆを閉じたときにフラップ１１ｆが開くことを防ぐストッパ１０ｓをさらに備える。
【０００８】
このように構成すると、フラップを閉じたときにフラップが半開きになることを防ぐことができ、内部に水滴や埃等の異物が侵入することを防ぐことができる。
【０００９】
また、本発明の第２の態様に係るシート状物収容箱は、例えば図１に示すように、上記本発明の第１の態様に係るシート状物収容箱１０において、フラップ１１ｆは、主切込１１ａを共有して取出口形成板１１の面上で対向する一対で構成されている。
【００１０】
このように構成すると、フラップを起こしたときの高さに比して取出口を大きく形成することができ、シート状物収容箱の内部にあるシート状物が摘みやすくなる。
【００１１】
また、本発明の第３の態様に係るシート状物収容箱は、例えば図１に示すように、上記本発明の第１の態様又は第２の態様に係るシート状物収容箱１０において、取出口形成板１１に交差して連接された側板１５であって、取出口形成板１１と側板１５との交線上に副切込１１ｂが形成されるように設けられた側板１５を備え；ストッパ１０ｓは、側板１５の副切込１１ｂに隣接する部分が内側に曲げられることで形成されている。
【００１２】
このように構成すると、簡便にストッパを形成することができると共に、フラップの開閉に差し支えない適切な大きさのストッパを形成しやすくなる。
【００１３】
また、本発明の第４の態様に係るシート状物収容箱は、例えば図１及び図４に示すように、上記本発明の第３の態様に係るシート状物収容箱１０において、取出口形成板１１及び側板１５と協働してシート状物収容箱１０を構成する補充板１２、１３、１４であって、側板１５に内側で重ねられる重ね代１２ｃ、１３ｃ、１４ｃを有する補充板１２、１３、１４を備え；重ね代１２ｃ、１３ｃ、１４ｃは、側板１５のストッパ１０ｓが形成される部分を避けて、側板１５に重ねられている。
【００１４】
このように構成すると、ストッパを形成しやすくなる。
【００１５】
また、本発明の第５の態様に係るシート状物収容箱は、例えば図４に示すように、上記本発明の第４の態様に係るシート状物収容箱において、補充板１３は、側板１５と貼り合わせられた重ね代１３ｃの部分を切り落とし可能な分離切込１３ｃｃが形成されている。
【００１６】
このように構成すると、空き箱になったときの処分が簡便になる。
【００１７】
また、本発明の第６の態様に係るシート状物収容箱は、例えば図１に示すように、上記本発明の第１の態様乃至第５の態様のいずれか１つの態様に係るシート状物収容箱１０において、主切込１１ａが波形に形成されている。
【００１８】
このように構成すると、シート状物を取り出して次のシート状物の一部が取出口から露出したときに、取出口から露出したシート状物が内部に落ち込むことを抑制することができる。
【００１９】
また、本発明の第７の態様に係るシート状物収容箱は、例えば図１及び図４に示すように、上記本発明の第１の態様乃至第６の態様のいずれか１つの態様に係るシート状物収容箱１０において、取出口形成板１１に対向する底板１３を備え；底板１３は、底板１３から内部に突き出てシート状物Ｓを嵩上げする突片１３ｐ（図４参照）を形成可能な突片形成切込１３ｐｃ（図４参照）が形成されている。
【００２０】
このように構成すると、シート状物が残り少なくなったときにシート状物を嵩上げすることができ、シート状物の一部が取出口から露出した状態を維持することができる。
【００２１】
また、本発明の第８の態様に係るシート状物入り収容箱は、例えば図１（Ｂ）に示すように、上記本発明の第１の態様乃至第７の態様のいずれか１つの態様に係るシート状物収容箱１０と；シート状物収容箱１０に収容されたシート状物Ｓとを備える。
【００２２】
このように構成すると、内部に異物が侵入することを防ぐことができるシート状物入り収容箱となる。
【発明の効果】
【００２３】
本発明によれば、フラップを閉じたときにフラップが半開きになることを防ぐことができ、内部に異物が侵入することを防ぐことができる
【図面の簡単な説明】
【００２４】
【図１】（Ａ）は本発明の実施の形態に係るペーパー収容箱の斜視図、（Ｂ）は本発明の実施の形態に係るペーパー入り収容箱の斜視図である。
【図２】本発明の実施の形態に係るペーパー収容箱に収容されるペーパーを説明する図であり、（Ａ）は１枚のペーパーの斜視図、（Ｂ）は積層されたペーパーの側面図である。
【図３】（Ａ）は本発明の実施の形態に係るペーパー収容箱の部分平面図、（Ｂ）は本発明の実施の形態に係るペーパー収容箱の部分側面図である。
【図４】本発明の実施の形態に係るペーパー収容箱の展開図である。
【発明を実施するための形態】
【００２５】
以下、図面を参照して本発明の実施の形態について説明する。なお、各図において互いに同一又は相当する部材には同一あるいは類似の符号を付し、重複した説明は省略する。
【００２６】
まず図１を参照して、本発明の実施の形態に係るシート状物収容箱としてのペーパー収容箱１０、及び本発明の実施の形態に係るシート状物入り収容箱としてのペーパー入り収容箱１を説明する。図１（Ａ）は、ペーパー収容箱１０の斜視図、（Ｂ）は、ペーパー入り収容箱１の斜視図である。図１（Ａ）はフラップ１１ｆを閉じた状態を表し、図１（Ｂ）はフラップ１１ｆを開けた状態を表している。ペーパー入り収容箱１は、ペーパー収容箱１０の中に、シート状物としてのクッキングペーパー（以下、単に「ペーパー」という。）Ｓを収容したものである。
【００２７】
図２に、ペーパー収容箱１０に収容されるペーパーＳを示す。図２（Ａ）は１枚のペーパーＳの斜視図、図２（Ｂ）は積層されたペーパーＳの側面図である。ペーパーＳは、天然パルプを使用した不織布タイプのものであり、矩形に形成されている。ペーパーＳは、対向する一対の辺の中点同士を結ぶ折り線Ｓｃで２つ折りにされている。ペーパーＳについて、説明の便宜上、折り線Ｓｃを境にして一方を半面Ｓａといい、他方を残面Ｓｂということとする。ペーパーＳは、ある１つのペーパーＳ１の半面Ｓａと残面Ｓｂとで別のペーパーＳ２の半面Ｓａを挟み、当該別のペーパーＳ２の半面Ｓａと残面Ｓｂとで、上述のある１つのペーパーＳ１の残面Ｓｂと、さらに別のペーパーＳ３の半面Ｓａとを挟むように、交互に半分の面ずつ挟むようにして積層されて、ペーパー収容箱１０に収容されている。
【００２８】
再び図１に戻り、ペーパー収容箱１０の構成を説明する。ペーパー収容箱１０は、基本形状が直方体に形成されている。ペーパー収容箱１０は、取出口形成板としての天板１１と、前板１２と、底板１３と、後板１４と、一対の側板１５とを備えている。天板１１は、本実施の形態では長方形に形成されている。底板１３は、天板１１に対向しており、天板１１と同じ大きさに形成されている。前板１２は、天板１１及び底板１３に直交している。後板１４は、前板１２に対向していると共に、天板１１及び底板１３に直交している。一対の側板１５は、それぞれ、天板１１、前板１２、底板１３、後板１４に直交している。本実施の形態では、前板１２、底板１３、後板１４が、天板１１及び側板１５と協働してペーパー収容箱１０を構成する部材であり、補充板に相当する。つまり、本実施の形態では、補充板は、前板１２、底板１３、後板１４の総称である。
【００２９】
天板１１は、長方形の一対の短辺の中点同士を結ぶ主切込１１ａが形成されている。主切込１１ａは、長方形の一対の短辺に渡っているので、ペーパーＳの幅よりも大きくなっている。主切込１１ａは、本実施の形態では、波形に形成されている。本実施の形態における主切込１１ａの波形は、一方から見たときに、１つの山と、この山を挟む２つの谷（他方から見たときに２つの山と１つの谷）が表れるように形成されている。本実施の形態では、主切込１１ａの波形の山の頂と谷の底との距離が、概ね１０ｍｍに形成されている。また、天板１１には、長方形の長辺に平行な直線状の折曲線１１ｃが、主切込１１ａを挟むように２本形成されている。折曲線１１ｃは、本実施の形態では、天板１１を形成する長方形の一方の短辺から他方の短辺に実質的に渡るように形成されている。実質的に渡るとは、折曲線１１ｃの両端が、それぞれ両短辺に到達している場合のほか、後述する副切込１１ｂとの関係で両短辺の近傍で止まっている場合も含まれることを意味している。一対の折曲線１１ｃは、本実施の形態では、天板１１を形成する長方形の長辺との間隔が、長方形の短辺の長さの概ね１／５となる位置に形成されている。本実施の形態では、主切込１１ａが、波形に形成されつつも、長方形の一対の短辺の中点同士を結ぶ仮想直線が延びる方向に延びているため、一対の折曲線１１ｃは主切込１１ａに沿って延びているといえる。
【００３０】
天板１１と側板１５との交線である天側交線５１上には、副切込１１ｂが形成されている。副切込１１ｂは、主切込１１ａの端点から折曲線１１ｃの端点まで形成されている。本実施の形態では、主切込１１ａを挟むように２本の折曲線１１ｃが形成されているので、実質的に一方の折曲線１１ｃの端点から他方の折曲線１１ｃの端点まで、副切込１１ｂが形成されている。副切込１１ｂは、両方の側板１５側のそれぞれで形成されており、合計２カ所に形成されている。副切込１１ｂは、本実施の形態では、天側交線５１上を主切込１１ａの端点から折曲線１１ｃの方に向かい、折曲線１１ｃに到達する直前で弧を描きながら天板１１の面内にわずかに入り込んでいる（図３（Ａ）参照）。このため、折曲線１１ｃは、端点が、長方形の短辺にわずかに届かず、天板１１内で止まっている。副切込１１ｂと折曲線１１ｃとの接続点の位置は、本実施の形態では、天板１１を形成する長方形の長辺の長さの概ね３〜５％に相当する距離だけ、短辺から内側に入っている。
【００３１】
ペーパー収容箱１０は、天板１１を、主切込１１ａ及び副切込１１ｂで切断し、折曲線１１ｃに沿って折り曲げることで、フラップ１１ｆが形成されるように構成されている。このように、天板１１は、フラップ１１ｆを有している。フラップ１１ｆは、主切込１１ａ、一対の副切込１１ｂ、折曲線１１ｃで囲まれる天板１１の部分である。フラップ１１ｆは、折曲線１１ｃを軸として、開閉することができるように構成されている。ペーパー収容箱１０は、フラップ１１ｆを開けることで、収容されているペーパーＳが取り出される取出口１０ｈが形成されるように構成されている。本実施の形態では、主切込１１ａを共有する２つのフラップ１１ｆが形成されている。このような構成により、フラップ１１ｆを開けたときの高さを抑制しつつ、取出口１０ｈを大きくすることができる。取出口１０ｈを大きく形成することにより、ペーパー収容箱１０の中に手を入れて、収容されているペーパーＳを取り出すことが容易になる。
【００３２】
図３（Ａ）の部分平面図及び図３（Ｂ）の部分側面図をあわせて参照することでより明らかなように、ペーパー収容箱１０は、フラップ１１ｆを閉じたときに、閉じられたフラップ１１ｆが開かないように押さえるストッパ１０ｓが設けられている。ストッパ１０ｓは、側板１５の上部に設けられている。本実施の形態では、ストッパ１０ｓが、側板１５の上部（副切込１１ｂに隣接する部分）に弓状（緩やかな円弧状）のストッパ罫線１０ｓｂ（折り目誘導線）を形成し、ストッパ罫線１０ｓｂの内側の部分をペーパー収容箱１０の内側に曲げることで形成されている。このような構成により、ストッパ１０ｓを別部品として後付けすることがなく、簡便にストッパ１０ｓを形成することができる。なお、罫線は、厚さ方向に切断線を入れずに凹凸をつけて折れ曲がりやすくしたものである。ストッパ罫線１０ｓｂは、側板１５を前板１２と後板１４との間で二等分する仮想直線に対して線対称であり、両端が副切込１１ｂに達している。ストッパ罫線１０ｓｂの副切込１１ｂ上における両端の距離は、３０ｍｍ〜６０ｍｍ（一対の折曲線１１ｃ間の距離の概ね０．４０〜０．７５倍）であることが好ましく、本実施の形態では４０ｍｍ（一対の折曲線１１ｃ間の距離の概ね０．５０倍）となっている。このように構成されていると、ストッパ１０ｓの側板１５から内側への入り込み量が適切となり、フラップ１１ｆの開閉を円滑に行うことを可能にしつつ、フラップ１１ｆが閉じられたときにフラップ１１ｆを適切に押さえることができる。なお、ストッパ罫線１０ｓｂの副切込１１ｂ上における両端の距離は、ストッパ１０ｓの内側への意図する入り込み量に応じて、適宜決定することができる。
【００３３】
ペーパー収容箱１０は、概ね０．４５〜０．７０ｍｍ厚の板紙（典型的にはコートボール紙）が加工されて形成されている。このため、ペーパー収容箱１０は、弾性を有している。ペーパー収容箱１０は、適度な弾性を有することで、フラップ１１ｆがストッパ１０ｓを通過する際に適度にしなり、円滑なフラップ１１ｆの開閉を可能にしている。ペーパー収容箱１０は、典型的には、１枚の板紙を切り出して組み立てられて一体に形成されている。
【００３４】
図４に、ペーパー収容箱１０の展開図を示す。図４に示すように、天板１１を形成する長方形の短辺が延びる方向（以下「短辺方向Ｄｓ」という。）に、後板１４、天板１１、前板１２、底板１３が、この順で連接している。一対の側板１５は、天板１１に対して、天板１１を形成する長方形の長辺が延びる方向（以下「長辺方向Ｄｔ」という。）の両端にそれぞれ連接されている。後板１４には、長辺方向Ｄｔの両端に、後板重ね代１４ｃが連接されている。前板１２には、長辺方向Ｄｔの両端に、前板重ね代１２ｃが連接されている。底板１３には、長辺方向Ｄｔの両端に、底板重ね代１３ｃが連接されている。また、底板１３には、前板１２が連接している辺に対向する辺に、後板１４に重なる接続片１３ｄが連接されている。ペーパー収容箱１０は、組み立てられる前の展開された状態においては、主切込１１ａ及び副切込１１ｂが、典型的にはミシン目で形成されており、全体としては切断されていない。ここで、ミシン目は、点線状に切断された線である。
【００３５】
図４に示す展開された状態から図１（Ａ）に示すペーパー収容箱１０に組み立てられる際、後板１４、天板１１、前板１２、底板１３、接続片１３ｄは、長辺方向Ｄｔに延びる境界線で折り曲げられ、接続片１３ｄが後板１４の裏面（ペーパー収容箱１０の内側となる面）に接着されることで、角筒状となる。また、側板１５、後板重ね代１４ｃ、前板重ね代１２ｃ、底板重ね代１３ｃは、短辺方向Ｄｓに延びる境界線で折り曲げられる。前板重ね代１２ｃ及び後板重ね代１４ｃは、それぞれ前板１２及び後板１４に対して折り曲げられたときに、相互に干渉しない大きさに形成されている。また、底板重ね代１３ｃは、底板１３に対して折り曲げられたときに、前板重ね代１２ｃ及び後板重ね代１４ｃの両方に重なる大きさに形成されている。角筒状の両端は、まず前板重ね代１２ｃ及び後板重ね代１４ｃが折り曲げられ、その上に折り曲げられた底板重ね代１３ｃが重ねられ、さらにその上に側板１５が重ねられる。側板１５と底板重ね代１３ｃとは、接着剤等で接着される。このとき、前板重ね代１２ｃ、後板重ね代１４ｃ、底板重ね代１３ｃは、ストッパ罫線１０ｓｂに重ならないように形成されている。このように構成されていることで、後にストッパ１０ｓを形成しようとしたときにストッパ１０ｓを形成しやすくなる。
【００３６】
図４の展開図に示すように、底板重ね代１３ｃには、分離切込１３ｃｃが形成されている。分離切込１３ｃｃは、ペーパー収容箱１０の内部に収容されたペーパーＳを使い切ったときに、ペーパー収容箱１０の解体を助けるものである。分離切込１３ｃｃは、ミシン目で形成されている。分離切込１３ｃｃは、底板重ね代１３ｃの、底板１３との境界線の両端から延びる両辺（図４に示す例では内側にセットバックしている）の途中から、短辺方向Ｄｓで相互に近づきつつ長辺方向Ｄｔで底板１３に近づくように延び、底板１３に進入してまもなく出会うように形成され、全体として曲部が１カ所の折れ線状に形成されている。底板重ね代１３ｃは、分離切込１３ｃｃの内側のみが側板１５の裏面に接着されることで、分離切込１３ｃｃを切り離したときに側板１５を底板１３から分離させることができるように構成されている。
【００３７】
また、底板１３には、突片１３ｐを形成可能な突片形成切込としての突片切込１３ｐｃが形成されている。突片１３ｐは、ペーパー収容箱１０内に収容されているペーパーＳが少なくなって、ポップアップしたペーパーＳがペーパー収容箱１０の内部に落ちてしまうようなときに、ペーパー収容箱１０に収容されているペーパーＳを取出口１０ｈに近づけるように持ち上げる部材である。突片切込１３ｐｃは、概ねＵ字状に形成されている。突片切込１３ｐｃは、典型的にはミシン目で形成されている。概ねＵ字状に形成された突片切込１３ｐｃの両端の間には、両端を結ぶ直線状の突片折線１３ｐｂが形成されている。突片折線１３ｐｂは、突片切込１３ｐｃで囲われた部分の折り曲げを容易にするために、本実施の形態では罫線となっている。突片切込１３ｐｃ及び突片折線１３ｐｂは、本実施の形態では、底板１３の図心付近に２つ形成されている。２つの突片折線１３ｐｂは、短辺方向Ｄｓに平行に延び、長辺方向Ｄｔで底板１３の図心を挟むように形成されている。各突片折線１３ｐｂから延びる突片切込１３ｐｃは、底板１３の図心とは反対側に突き出るように形成されている。突片折線１３ｐｂに直交する方向の、突片折線１３ｐｂから突片切込１３ｐｃの先端までの距離が、突片１３ｐを形成したときにペーパー収容箱１０内のペーパーＳを持ち上げることができる高さとなる。
【００３８】
引き続き図１乃至図４を参照して、ペーパー入り収容箱１の作用を説明する。ペーパー収容箱１０の作用は、ペーパー入り収容箱１の作用の一環として説明する。未開封のペーパー入り収容箱１は、ペーパー収容箱１０の主切込１１ａ及び副切込１１ｂが、切断されておらずにミシン目を介して接続されている。消費者の手に渡ったペーパー入り収容箱１の、ペーパーＳを初めて使用する際は、主切込１１ａ及び副切込１１ｂを、ミシン目を破断することで完全に切断する。そのうえで、折曲線１１ｃでフラップ１１ｆを外側に向けて折り曲げる。フラップ１１ｆを折り曲げることで、取出口１０ｈが形成される。本実施の形態では、フラップ１１ｆが、主切込１１ａから両側に開くように構成されているので、取出口１０ｈを比較的大きく形成することができる。
【００３９】
フラップ１１ｆを開けたら、側板１５の上部（取出口１０ｈに面した部分）を、ストッパ罫線１０ｓｂに沿ってペーパー収容箱１０の内側に曲げる。これにより、曲げられた部分がストッパ１０ｓとなる。ストッパ１０ｓが形成されたら、フラップ１１ｆを開いてペーパーＳをペーパー収容箱１０から取り出す。このとき、取出口１０ｈが比較的大きく形成されているので、取出口１０ｈからペーパー収容箱１０の中に手を入れてペーパーＳを摘むことが容易になる。ペーパー収容箱１０に収容されているペーパーＳを取り出すとき、取出口１０ｈに一番近いペーパーＳ１の半面Ｓａを摘んで取出口１０ｈから引き出す。すると、引き出したペーパーＳ１に挟まれていたペーパーＳ２の半面Ｓａの一部が取出口１０ｈから露出するが、そのペーパーＳ２の残面Ｓｂが下方のペーパーＳ３に引き留められるため、引き出したペーパーＳ１が、ペーパー収容箱１０内にとどまるペーパーＳ２から分離する。
【００４０】
一部が取出口１０ｈから露出したペーパーＳは、一対のフラップ１１ｆに挟まれる。これにより、取出口１０ｈから露出したペーパーＳが、ペーパー収容箱１０の中に落ちてしまうことを抑制することができる。取出口１０ｈから露出したペーパーＳを、一対のフラップ１１ｆで挟むことができるのは、開かれたフラップ１１ｆが弾性によって閉じた状態に戻ろうとするものの、折曲線１１ｃで一度折り目がつけられたために完全には閉じた状態とならず、両者が接近した半開きの状態で止まるためである。また、本実施の形態では、主切込１１ａが波形に形成されているため、一対のフラップ１１ｆが半開きの状態でも、露出したペーパーＳが主切込１１ａの波形に沿って湾曲し、複数のポイントで一対のフラップ１１ｆに接触することとなって、ペーパーＳがペーパー収容箱１０の中に落ちてしまうことを抑制することができる。ペーパーＳが取出口１０ｈから露出した状態を維持することで、次にペーパーＳを使用する際に、ペーパー収容箱１０の中に手を入れなくてもペーパーＳを摘むことができて便利である。
【００４１】
ペーパーＳをしばらく使用しないことが予想される場合は、一対のフラップ１１ｆに挟まれて一部が露出しているペーパーＳをペーパー収容箱１０の中に収容し、フラップ１１ｆを閉じることで、ペーパーＳの水濡れ、あるいはペーパー収容箱１０内への埃や水滴等の異物の侵入を防ぐことができる。このとき、ペーパー収容箱１０にストッパ１０ｓが設けられているため、閉じられたフラップ１１ｆが開くこと（半開きの状態を含む）を防ぐことができる。また、ペーパー収容箱１０が、弾性を有する板紙を加工して組み立てることで構成されているので、フラップ１１ｆを開閉する際に、フラップ１１ｆが、ストッパ１０ｓに当たったところでたわみ、ストッパ１０ｓを越えた後にたわみが復元するため、フラップ１１ｆを円滑に開閉することができる。
【００４２】
ペーパーＳを使用していき、ペーパー収容箱１０内のペーパーＳが少なくなると、一部が取出口１０ｈから露出したペーパーＳを一対のフラップ１１ｆで適切に挟むことが難しくなる場合がある。この場合、底板１３の突片切込１３ｐｃを、ミシン目を破断することで切断する。そして、突片切込１３ｐｃで囲まれた部分を、突片折線１３ｐｂでペーパー収容箱１０の内側に向けて折り曲げる。これにより、ペーパー収容箱１０の内部に突き出る突片１３ｐが形成されることとなる。突片１３ｐが形成されると、ペーパー収容箱１０内のペーパーＳが、突片１３ｐによって取出口１０ｈに近づけられる。すると、一部が取出口１０ｈから露出したペーパーＳの残面Ｓｂが取出口１０ｈに近づくこととなり、取出口１０ｈから露出したペーパーＳがペーパー収容箱１０の中に落ちてしまうことを抑制することができる。
【００４３】
ペーパー収容箱１０に収容されているペーパーＳを使い切ったら、底板重ね代１３ｃ及び底板１３に形成されている分離切込１３ｃｃを、ミシン目を破断して切断することで、簡単にペーパー収容箱１０を扁平に畳むことができる。分離切込１３ｃｃを切断する際、本実施の形態では、底板重ね代１３ｃに形成されている分離切込１３ｃｃが側板１５の下にあって見えないので、まず、底板１３に表れている部分の分離切込１３ｃｃを切断するとよい。底板１３部分の分離切込１３ｃｃを切断したら、その部分からペーパー収容箱１０の内部に親指を入れ、残りの４本の指を側板１５に添える。次に、手で挟んだ側板１５及び底板重ね代１３ｃを、天側交線５１を中心にして外側に開く。すると、底板重ね代１３ｃに形成されている分離切込１３ｃｃのミシン目が破断し、側板１５が底板１３から分離する。側板１５と底板１３が分離すると、前板重ね代１２ｃ及び後板重ね代１４ｃがいずれの部分にも接着されていないため、ペーパー収容箱１０は両端が開口した角筒状となる。角筒状となったら、例えば、底板１３及び後板１４の面に前板１２及び天板１１の面が接触するように畳むことで、ペーパー収容箱１０を扁平にすることができる。ペーパー収容箱１０を扁平に畳むことで、廃棄時の嵩張りを抑制することができる。
【００４４】
以上で説明したように、本実施の形態に係るペーパー収容箱１０によれば、側板１５の取出口１０ｈに面した部分をストッパ罫線１０ｓｂに沿ってペーパー収容箱１０の内側に曲げて形成されたストッパ１０ｓを備えるので、フラップ１１ｆの円滑な開閉を可能にしつつ、フラップ１１ｆを閉じたときにフラップ１１ｆが半開きの状態になることを防ぐことができ、取出口１０ｈからペーパー収容箱１０の内部への異物の侵入を防ぐことができる。また、底板１３に突片切込１３ｐｃが形成されているので、ペーパー収容箱１０内のペーパーＳが残り少なくなったときに突片１３ｐをペーパー収容箱１０の内部に突出させることができ、ペーパーＳを嵩上げして、取出口１０ｈから露出したペーパーＳがペーパー収容箱１０の中に落ちてしまうことを抑制することができる。また、主に底板重ね代１３ｃに分離切込１３ｃｃが形成されているので、ペーパーＳを使い切ったときに、簡単にペーパー収容箱１０を扁平に畳むことができ、廃棄時の嵩張りを抑制することができる。
【００４５】
以上の説明では、ペーパー収容箱１０は、基本形状が直方体に形成されているとしたが、天板１１が円形や楕円形の筒状に形成されている等、直方体以外に形成されていてもよい。また、以上の説明では、フラップ１１ｆが２つ設けられていることとしたが、１つであってもよい。
【００４６】
以上の説明では、ストッパ１０ｓが、側板１５の取出口１０ｈに面した部分をペーパー収容箱１０の内側に曲げて形成されることとしたが、側板１５の取出口１０ｈ（副切込１１ｂ）に隣接した部分に内側に出っ張る突起をエンボス加工等により形成して当該突起をストッパとしてもよく、あるいは、図４に示す展開図において底板重ね代１３ｃの長辺方向Ｄｔの長さを側板１５の長辺方向Ｄｔの長さよりも長く形成し、収容箱に組み立てた際に底板重ね代１３ｃがわずかに天板１１に重なるようにして、この天板１１に重なる部分をストッパとしてもよい。
【００４７】
以上の説明では、ペーパー収容箱１０が、１枚の板紙が加工され、組み立てられることで構成されていることとしたが、複数枚の板紙を組み立てて構成されたものでもよく、あるいは素材が板紙ではなく合成樹脂等で構成されていてもよい。
【００４８】
以上の説明では、主切込１１ａ、副切込１１ｂ、分離切込１３ｃｃ、突片切込１３ｐｃが、それぞれミシン目で形成されていることとしたが、半切れ線で形成されていてもよい。ここで、半切れ線は、各部材（天板１１、底板１３）の厚さの途中まで切り込みの筋を入れ、厚さ方向に貫通していない切れ線である。
【００４９】
以上の説明では、ペーパーＳが、矩形のものが２つ折りで積層されているとしたが、適宜の間隔で切断用のミシン目が形成された長尺がロール状に巻かれたものであってもよい。また、以上の説明では、シート状物がクッキングペーパーであるとしたが、クッキングシート、キッチンペーパーやその他の衛生用紙、あるいは紙ではないポリ袋であってもよい。
【符号の説明】
【００５０】
１      ペーパー入り収容箱
１０    ペーパー収容箱
１０ｈ  取出口
１０ｓ  ストッパ
１１    天板
１１ａ  主切込
１１ｂ  副切込
１１ｃ  折曲線
１１ｆ  フラップ
１２    前板
１２ｃ  前板重ね代
１３    底板
１３ｃ  底板重ね代
１３ｃｃ  分離切込
１３ｐ  突片
１３ｐｃ  突片切込
１４    後板
１４ｃ  後板重ね代
１５    側板
Ｓ      ペーパー
【図１】
2015217949.tif 000003
【図２】
2015217949.tif 000004
【図３】
2015217949.tif 000005
【図４】
2015217949.tif 000006